(57)【特許請求の範囲】
【請求項１】
内容液が収容される容器本体と、
上方付勢状態で下方移動可能に立設されるとともに内部が前記容器本体内と連通可能なステムを有するポンプと、
前記ステムに連結される装着筒、コンタクトレンズが収容される一対のカップ部、および前記装着筒と一対のカップ部とを連結する連結部を備える収容体と、を備え、
前記収容体には、前記ステムの内部と前記一対のカップ部内とを各別に連通する一対の第１連通路が形成され、
該第１連通路は、前記装着筒に形成され該装着筒の内部と外部とを連通する連通孔と、前記連結部の上面に形成され前記連通孔と前記カップ部内とを連通する連通溝と、を備えていることを特徴とするコンタクトレンズ収容容器。
【請求項２】
請求項１記載のコンタクトレンズ収容容器であって、
前記連結部には、前記一対のカップ部内同士を連通する第２連通路が形成されていることを特徴とするコンタクトレンズ収容容器。
【請求項３】
請求項１または２に記載のコンタクトレンズ収容容器であって、
前記容器本体の口部を囲繞するカバー体が配設され、該カバー体には前記収容体を開放自在に覆うキャップが配設されていることを特徴とするコンタクトレンズ収容容器。
【請求項４】
請求項１から３のいずれか１項に記載のコンタクトレンズ収容容器であって、
前記収容体には、前記一対のカップ部を一体に開閉する蓋体がヒンジ部を介して連結されていることを特徴とするコンタクトレンズ収容容器。
【発明の詳細な説明】
【技術分野】
【０００１】
本発明は、コンタクトレンズ収容容器に関するものである。
【背景技術】
【０００２】
コンタクトレンズ収容容器は一般に、例えば下記特許文献１に示されるように、一対のカップ部と、これらのカップ部内を開閉するキャップと、を備えている。
そして、コンタクトレンズを例えば洗浄したり保存したりする際には、キャップを外して一対のカップ部を開放した後に、これらのカップ部内に、他の容器から洗浄液や保存液（以下、内容液という）を各別に注入することで、カップ部内でコンタクトレンズを内容液に浸漬させていた。
【先行技術文献】
【特許文献】
【０００３】
【特許文献１】特開平５−２３７１７２号公報
【発明の概要】
【発明が解決しようとする課題】
【０００４】
しかしながら従来では、一対のカップ部内に内容液を注入する際に、各カップ部について同じ操作を二度繰り返して行う必要があり手間がかかるばかりでなく、内容液がカップ部から外れてしまうおそれもあった。
【０００５】
本発明は、このような事情を考慮してなされたもので、カップ部内に内容液を注入する操作を簡便かつ正確に行うことができるコンタクトレンズ収容容器を提供することを目的とする。
【課題を解決するための手段】
【０００６】
上記課題を解決して、このような目的を達成するために、本発明のコンタクトレンズ収容容器は、内容液が収容される容器本体と、上方付勢状態で下方移動可能に立設されるとともに内部が前記容器本体内と連通可能なステムを有するポンプと、前記ステムに連結される装着筒、コンタクトレンズが収容される一対のカップ部、および前記装着筒と一対のカップ部とを連結する連結部を備える収容体と、を備え、前記収容体には、前記ステムの内部と前記一対のカップ部内とを各別に連通する一対の第１連通路が形成され、該第１連通路は、前記装着筒に形成され該装着筒の内部と外部とを連通する連通孔と、前記連結部の上面に形成され前記連通孔と前記カップ部内とを連通する連通溝と、を備えていることを特徴とする。
【０００７】
本発明によれば、収容体に、ステムの内部と一対のカップ部内とを各別に連通する一対の第１連通路が形成されているので、収容体をステムとともに下方移動させポンプを作動させたときに、容器本体内の内容液が、ステムから一対の第１連通路に至り一対のカップ部に向けて各別に移送されることとなる。
これにより、収容体をステムとともに一度下方移動させれば、一対のカップ部の双方に同時に第１連通路を通して内容液を注入することが可能になり、一対のカップ部内に内容液を注入する際に、手間がかかったり、内容液がカップ部から外れたりするのを防ぐことができ、カップ部内に内容液を注入する操作を簡便かつ正確に行うことができる。
【０００８】
ここで、前記連結部には、前記一対のカップ部内同士を連通する第２連通路が形成されてもよい。
【０００９】
この場合、連結部に、一対のカップ部内同士を連通する第２連通路が形成されているので、一対のカップ部内に内容液を均等に供給し易くすることができる。
【００１０】
また、前記容器本体の口部を囲繞するカバー体が配設され、該カバー体には前記収容体を開放自在に覆うキャップが配設されてもよい。
【００１１】
この場合、カバー体に収容体を開放自在に覆うキャップが配設されているので、カップ部内でコンタクトレンズを内容液に浸漬させて保存するときに、カップ部内に埃等が入るのを抑制することが可能になるとともに、このコンタクトレンズ収容容器が傾いたり倒れたりしたときに、コンタクトレンズや内容液が周囲に飛散するのを抑えることができる。
【００１２】
さらに、前記収容体には、前記一対のカップ部を一体に開閉する蓋体がヒンジ部を介して連結されてもよい。
【００１３】
この場合、カップ部内の密閉性を向上させることが可能になり、前述の埃等の進入、およびコンタクトレンズや内容液の周囲への飛散を確実に抑えることができる。
【発明の効果】
【００１４】
本発明によれば、カップ部内に内容液を注入する操作を簡便かつ正確に行うことができる。また、左右のコンタクトレンズを一対のカップ部にそれぞれ収容できるため、容易に保存でき、紛失のおそれもない。
【図面の簡単な説明】
【００１５】
【図１】本発明に係る一実施形態として示したコンタクトレンズ収容容器の一部断面側面図である。
【図２】図１に示すコンタクトレンズ収容容器の収容体の上面図である。
【図３】本発明に係る他の実施形態として示したコンタクトレンズ収容容器の一部断面側面図である。
【図４】本発明に係るさらに他の実施形態として示したコンタクトレンズ収容容器の一部断面側面図である。
【図５】本発明に係る他の実施形態として示したコンタクトレンズ収容容器の収容体の上面図である。
【発明を実施するための形態】
【００１６】
以下、図面を参照し、本発明の実施の形態について説明する。
本実施形態に係るコンタクトレンズ収容容器１は、図１および図２に示されるように、内容液が収容される容器本体１１と、上方付勢状態で下方移動可能に立設されるとともに内部が容器本体１１内と連通可能なステム１２を有するポンプ１３と、ステム１２に連結されるとともに、コンタクトレンズが収容される一対のカップ部１４を備える収容体１５と、を備えている。
【００１７】
容器本体１１は有底筒状に形成されていて、この容器本体１１およびステム１２は共通軸と同軸に配設されている。以下、この共通軸を容器軸Ｏといい、容器軸Ｏ方向に沿って容器本体１１の口部１６側を上側、図示されない底部側を下側といい、また、容器軸Ｏに直交する方向を径方向といい、容器軸Ｏを中心に周回する方向を周方向という。
【００１８】
ポンプ１３は、容器本体１１の口部１６に螺着されて該ポンプ１３を容器本体１１に固定する装着キャップ１７と、口部１６から容器本体１１の内部に向けて下方に延設されたシリンダ１８と、シリンダ１８から下方に向けて延設された吸上げパイプ１９と、を備え、ステム１２は、シリンダ１８および装着キャップ１７の天壁部１７ａから上方に起立している。また、装着キャップ１７の天壁部１７ａには、ステム１２において、装着キャップ１７の天壁部１７ａから上方に突出した部分を径方向の外側から囲繞する囲繞筒２０が立設されている。囲繞筒２０の内周面とステム１２の外周面との間には径方向の隙間が設けられている。
さらに、シリンダ１８内には、ピストン部材２７および付勢部材２８が配設されており、付勢部材２８によって、ピストン部材２７およびステム１２が上方付勢状態で下方移動可能に支持されている。
【００１９】
そして、ステム１２を押下して下方に移動させると、この移動に連係してピストン部材２７が付勢部材２８による上方付勢力に抗してシリンダ１８の内周面に摺接しつつ下降することにより、シリンダ１８内の内容液が圧縮されてステム１２内を上昇する。
一方、ステム１２の押下を解除すると、付勢部材２８の上方付勢力によってステム１２が上昇し、かつピストン部材２７がシリンダ１８の内周面に摺接しつつ上昇することで、シリンダ１８内が減圧され、容器本体１１内に収容されている内容液がシリンダ１８内に吸上げパイプ１９を通して流入する。
【００２０】
収容体１５は、ステム１２の上端部に外嵌される有頂筒状の装着筒２１と、装着筒２１の径方向の外側に配設された一対のカップ部１４と、装着筒２１と一対のカップ部１４とを連結する連結部２３と、を備えている。また、連結部２３には、ステム１２の内部と一対のカップ部１４内とを各別に連通する一対の連通路（第１連通路）２４が形成されている。
【００２１】
装着筒２１は、前述のようなステム１２の上下動に伴い、囲繞筒２０内を容器軸Ｏ方向に進退するように配設されている。装着筒２１の上端部に、該装着筒２１の内部と外部とを連通し、かつカップ部１４側に向けて各別に開口する連通孔２１ａが一対形成されている。連通孔２１ａは、ステム１２の上端よりも上方に位置していて、ステム１２の内部および装着筒２１の内部と、装着筒２１の外部と、を連通している。なお図示の例では、一対の連通孔２１ａは、上方にも開口している。
連結部２３は、図２に示されるように、容器軸Ｏと同軸に配設された円板状体とされ、装着筒２１および一対のカップ部１４それぞれの上端部を全周にわたって一体に連結している。連結部２３の上面において、装着筒２１の連通孔２１ａに連なる各部分に、カップ部１４に向けて延在し該カップ部１４の上端開口部に至る連通溝２３ａが形成されている。
【００２２】
すなわち、前述の連通路２４は、連通孔２１ａおよび連通溝２３ａを備えていて、ステム１２の内部と一対のカップ部１４内とを連通している。なお図示の例では、連通溝２３ａは、径方向に沿って直線状に延在し、カップ部１４の上端開口部に径方向の内側から接続されている。
さらに、一対のカップ部１４、一対の連通孔２１ａおよび一対の連通溝２３ａはそれぞれ、容器軸Ｏを径方向で挟む互いに反対となる各位置に１つずつ配設されている。なお、収容体１５には、装着筒２１を全周にわたって径方向の外側から囲繞する外筒１５ａが備えられ、カップ部１４を画成する壁面のうち径方向の外側を向く外周壁は、外筒１５ａの一部となっている。
【００２３】
また本実施形態では、装着キャップ１７の天壁部１７ａには、容器本体１１の口部１６を囲繞するカバー体２５が配設されている。
図示の例では、カバー体２５は、装着キャップ１７の天壁部１７ａの外周縁から上方に向けて延在しつつ径方向の外側に向けて延びる立ち上がり筒２５ａと、立ち上がり筒２５ａの上端から下方に向けて延びる外郭筒２５ｂと、を備えている。このカバー体２５により、囲繞筒２０の上端から装着キャップ１７の周壁部１７ｂの下端にわたる部分が、径方向の外側から囲繞されている。なお、収容体１５を前述のようにステム１２とともに下方に移動させると、カップ部１４が立ち上がり筒２５ａの径方向の内側に進入する。
さらに、このカバー体２５の上端部には、収容体１５を開放自在に覆うキャップ２２が配設されている。図示の例では、キャップ２２は有頂筒状体とされ、カバー体２５の上端部に着脱自在に嵌合されている。
【００２４】
以上説明したように、本実施形態によるコンタクトレンズ収容容器１によれば、収容体１５に、ステム１２の内部と一対のカップ部１４内とを各別に連通する一対の連通路２４が形成されているので、収容体１５をステム１２とともに下方移動させポンプ１３を作動させたときに、容器本体１１内の内容液が、ステム１２から一対の連通路２４に至り一対のカップ部１４に向けて各別に移送されることとなる。
これにより、収容体１５をステム１２とともに一度下方移動させれば、一対のカップ部１４の双方に同時に連通路２４を通して内容液を注入することが可能になり、一対のカップ部１４内に内容液を注入する際に、手間がかかったり、内容液がカップ部１４から外れたりするのを防ぐことができ、カップ部１４内に内容液を注入する操作を簡便かつ正確に行うことができる。
【００２５】
また本実施形態では、カバー体２５に収容体１５を開放自在に覆うキャップ２２が配設されているので、カップ部１４内でコンタクトレンズを内容液に浸漬させて保存するときに、カップ部１４内に埃等が入るのを抑制することが可能になるとともに、このコンタクトレンズ収容容器１が傾いたり倒れたりしたときに、コンタクトレンズや内容液が周囲に飛散するのを抑えることができる。
さらに、左右のコンタクトレンズを一対のカップ部１４にそれぞれ収容できるため、容易に保存でき、紛失のおそれもない。
【００２６】
なお、本発明の技術的範囲は前記実施の形態に限定されるものではなく、本発明の趣旨を逸脱しない範囲において種々の変更を加えることが可能である。
【００２７】
例えば前記実施形態では、キャップ２２が、カバー体２５の上端部に着脱自在に嵌合された構成を示したが、図３に示されるように、キャップ２２が、ヒンジ部２２ａを介してカバー体２５の上端部に連結されたコンタクトレンズ収容容器２を採用してもよい。
また、図４に示されるように、収容体１５に、一対のカップ部１４を一体に開閉する蓋体２６が、ヒンジ部２６ａを介して連結されたコンタクトレンズ収容容器３を採用してもよい。図示の例では、蓋体２６は、一対のカップ部１４のみならず、連通路２４をも一体に開閉可能となっている。
このようなコンタクトレンズ収容容器３によれば、カップ部１４内の密閉性を向上させることが可能になり、前述の埃等の進入、およびコンタクトレンズや内容液の周囲への飛散を確実に抑えることができる。
【００２８】
さらに、図５に示されるように、連結部２３の上面に、一対のカップ部１４内同士を連通する溝（第２連通路）２３ｂを、連通溝２３ａとは別に形成してもよい。図示の例では、溝２３ｂは、連結部２３の上面において容器軸Ｏを径方向で挟む互いに反対となる各位置に各別に形成された周溝となっている。また、各溝２３ｂの深さは、カップ部１４の深さと同等になっている。
このように、収容体１５に、一対のカップ部１４内同士を連通する溝２３ｂを形成することによって、一対のカップ部１４内に内容液を均等に供給し易くすることができる。
【００２９】
その他、本発明の趣旨を逸脱しない範囲で、上記した実施の形態における構成要素を周知の構成要素に置き換えることは適宜可能であり、また、上記した変形例を適宜組み合わせてもよい。
【産業上の利用可能性】
【００３０】
カップ部内に内容液を注入する操作を簡便かつ正確に行うことができる。
【符号の説明】
【００３１】
１、２、３  コンタクトレンズ収容容器
１１  容器本体
１２  ステム
１３  ポンプ
１４  カップ部
１５  収容体
１６  口部
２３ｂ  第２連通路
２４  連通路（第１連通路）
２５  カバー体
２５ｃ  キャップ
２６  蓋体
２６ａ  ヒンジ部
【図１】
0005481288.tif 000002
【図２】
0005481288.tif 000003
【図３】
0005481288.tif 000004
【図４】
0005481288.tif 000005
【図５】
0005481288.tif 000006